(57)【要約】【課題】本考案は、電子機器内の現在時刻の単位時間当たりの誤差（進み／遅れ）を検出するリアルタイムクロック検査装置を提供することである。【解決手段】実施形態のリアルタイムクロック検査装置は、電子機器に内蔵されたリアルタイムクロックから得られ、前記電子機器のディスプレイに表示される現在時刻と、水晶発振器の出力信号を用いて正確な時刻を刻む標準時計から得られる標準時刻とを撮影するカメラと、前記カメラで撮影した前記現在時刻と前記標準時刻を比較し、その誤差を検出する手段とを有する。【選択図】図１
0003220355.tif 000002
【実用新案登録請求の範囲】
【請求項１】
電子機器に内蔵されたリアルタイムクロックから得られ、前記電子機器のディスプレイに表示される現在時刻と、水晶発振器の出力信号を用いて正確な時刻を刻む標準時計から得られる標準時刻とを撮影するカメラと、
前記カメラで撮影した前記現在時刻と前記標準時刻を比較し、その誤差を検出する手段とを有することを特徴とするリアルタイムクロック検査装置。
【請求項２】
前記標準時刻はデジタル表示されていることを特徴とする請求項１に記載のリアルタイムクロック検査装置。
【請求項３】
前記標準時刻は、高精度な水晶発振器の出力信号が刻む発光装置を使用した２進表示されていることを特徴とする請求項１又は請求項２に記載のリアルタイムクロック検査装置。
【請求項４】
前記発光装置はＬＥＤであることを特徴とする請求項３に記載のリアルタイムクロック検査装置。
【請求項５】
前記標準時計は前記カメラに内蔵されていて、撮影した映像に時刻を映し込むことができるか、または映像の各フレームの実時刻を参照することができることを特徴とする請求項１に記載のリアルタイムクロック検査装置。
【考案の詳細な説明】
【技術分野】
【０００１】
本考案の実施形態は、電子機器に内蔵されているリアルタイムクロックに使用される水晶発振子の精度を検査する装置に関する。
【背景技術】
【０００２】
テレビ、オーディオ、コンピューター、マザーボード機器等の電子機器には、リアルタイムクロック(一般的にＲＴＣという)を内蔵しており、リアルタイムクロックから得られる現在時刻は電子機器に設けられたディスプレイに表示される。リアルタイムクロックの精度を無調整で使用する場合、日時設定を秒単位で確認し修正することはできるが、リアルタイムクロックの精度誤差を短時間で検出することは困難であった。
【先行技術文献】
【特許文献】
【０００３】
【特許文献１】特開平１０−５４８８８
【考案の概要】
【考案が解決しようとする課題】
【０００４】
本考案が解決しようとする課題は、電子機器内の現在時刻の単位時間当たりの誤差（進み／遅れ）を検出するリアルタイムクロック検査装置を提供することである。
【課題を解決するための手段】
【０００５】
上記課題を達成するために、実施形態のリアルタイムクロック検査装置は、電子機器に内蔵されたリアルタイムクロックから得られ、前記電子機器のディスプレイに表示される現在時刻と、水晶発振器の出力信号を用いて正確な時刻を刻む標準時計から得られる標準時刻とを撮影するカメラと、前記カメラで撮影した前記現在時刻と前記標準時刻を比較し、その誤差を検出する手段とを有する。
【図面の簡単な説明】
【０００６】
【図１】第１の実施形態によるリアルタイムクロック検査装置の構成を示す機能ブロック図。
【図２】第１の実施形態によるリアルタイムクロック検査装置により撮影された現在時刻と標準時刻の映像。
【図３】第１の実施形態によるリアルタイムクロック検査装置の処理を示すフローチャート。
【図４】第２の実施形態によるリアルタイムクロック検査装置の構成を示す機能ブロック図。
【図５】第２の実施形態によるリアルタイムクロック検査装置により撮影された現在時刻と標準時刻の映像。
【図６】被測定体と標準時計を内蔵したビデオカメラで現在時刻を撮影した機能ブロック図。
【考案を実施するための形態】
【０００７】
以下、図面を参照して本考案の実施形態について説明する。
＜第１の実施形態＞
図１は、第１の実施形態によるリアルタイムクロック検査装置の構成を示す機能ブロック図である。テレビ、オーディオ、コンピューター、マザーボード機器等の電子機器１００にはリアルタイムクロック１０１が内蔵されており、リアルタイムクロック１０１より得られる現在時刻１０２は電子機器１００に設けられたディスプレイにデジタル表示される。リアルタイムクロック検査装置１０３には、標準時計１０４、カメラ１０５、検査アプリ１０６及び表示パネル１０７が設けられている。標準時計１０４は水晶配振子を有しており極めて正確な時刻を刻み、標準時計１０４から得られる標準時刻１０８はリアルタイムクロック検査装置内に１／１０秒までデジタル表示される。その際、デジタル表示される標準時刻は必ずしも現在の実時刻に設定されている必要はない。カメラ１０５は現在時刻１０２と標準時刻１０８を同一画面で撮影し、その映像情報は検査アプリ１０６に送信される。検査アプリ１０６では前記映像情報から現在時刻１０２と標準時刻１０８を比較し、その誤差を検出する。検出結果は表示パネル１０７に送られ表示される。
前記検査アプリ１０６における現在時刻と標準時刻の誤差の検出方法およびその検出結果の表示方法の詳細について、以下に説明する。ある時に電子機器１００の現在時刻１０２の秒表示が切り替わる前後で現在時刻１０２と標準時刻１０８を同時に動画撮影する。図２は、その時に撮影された映像の一例を示す。この映像では、現在時刻２００は「12：34：56」とデジタル表示され、標準時刻２０１は「00：01：23.7」とデジタル表示されている。表１は、現在時刻１０２のデジタル表示が「12：34：56」から「12：34：57」に切り替わる前後で続けて５枚撮影した時の現在時刻２００と標準時刻２０１をまとめたものである。
【表１】
0003220355.tif 000003
【０００８】
この３０分後に、同様の要領でカメラ１０５で現在時刻と標準時刻を撮影した映像をまとめたものが下記表２である。
【表２】
0003220355.tif 000004
【０００９】
この場合、現在時刻は「12：34：57」から「13：05：23」までで３０分２６．０秒経過しているが、標準時刻でも「00：01：23.7」から「00：31：49.7」までで３０分２６．０秒経過している。その差は０．０秒なので、このペースで時間が進めば２４時間後も進み／遅れは発生しないと予想できる。
もし、３０分後の撮影で表３の結果になった場合は、現在時刻は表２とおなじ３０分２６．０秒経過しているが、標準時刻は「00：01：23.7」から「00：31：49.8」までで３０分２６．１秒経過している。したがって、その差は０．１秒となり、３０分で０．１秒遅れていることになる。このペースで時間が進めば２４時間後は、４．８秒（＝（２４時間÷３０分）×０．１秒）の遅れが発生すると予想できる。
【表３】
0003220355.tif 000005
【００１０】
図３は、検査アプリ１０６の処理全体をまとめたフローチャートである。処理が開始されると（３０１）、カメラ１０５で１回目の撮影を行い（３０２）、現在時刻１０２と標準時刻１０８の差を計算する（３０３）。その後、所定時間待ち（３０４）、２回目の撮影を行い（３０５）、現在時刻１０２と標準時刻１０８の差を計算する（３０６）。その後、今迄計算した値から現在時刻１０２と標準時刻１０８の誤差を計算し（３０７）、その値が許容範囲であるか否かを判断する（３０８）。上記判断結果は表示パネル１０７に表示される。
被測定体の現在時刻と標準時計とを動画で撮影する場合の測定精度は、
【数１】
0003220355.tif 000006
【数２】
0003220355.tif 000007
【数３】
0003220355.tif 000008
【数４】
0003220355.tif 000009
【００１１】
となり、１日当たり最大６.４秒の精度で進み／遅れを検出できる。
上述した第１の実施形態によれば、３０分程度という短い検査時間で、現在時刻と標準時刻の誤差を確認することができる。
【００１２】
＜第２の実施形態＞
図４は、標準時刻１０８を表す、高精度の水晶発信器をカウンタで分周した２進値で表示するＬＥＤ発光装置１０９を用いたリアルタイムクロック検査装置の構成を示す機能ブロック図である。図１に示した第１の実施形態によるリアルタイム検査装置と異なる点は、２進のパターンで表示する標準時刻をデジタル表示することで、検査アプリ１０６による文字認識することがなく、アプリケーションの処理負担が軽くなることであり、図４の標準時刻１０８は、図５の標準時刻５０１で示すようにＬＥＤ発光装置１０９を並べ、光り方によって２進数を表す。それ以外は第１の実施形態と同じであるので、同一部分には同一符号を付して詳細な説明は省略する。
【００１３】
リアルタイムクロック１０１を内蔵する電子機器１００が現在時刻１０２を表示する。リアルタイム検査装置１０３がビデオカメラ１１０を用いて現在時刻１０２と標準時刻１０８を同一画面で撮影し、リアルタイム検査装置１０３に内蔵されている検査アプリ１０６が現在時刻１０２と標準時刻１０８の誤差を検出し、表示パネル１０７には、現在時刻１０２と標準時刻１０８、そこから検出した誤差を表示する。
【００１４】
例えば左から１２８秒周期で点滅、２番目は６４秒周期、３番目は３２秒周期、・・・という設定であれば、図５の時刻は、
128×1＋64×0＋32×1＋16×1＋8×0＋4×0＋2×1＋1×0＝178秒
という様に２進数で時刻を表すことができる。この場合は１秒単位のタイマーであるが、より短い周期の発振器にしていけば、いくらでも細かい周期の標準時計を作ることができる。この実施形態では、ビデオカメラで数秒間撮影し、またその後、時間を空けてもう一度撮影をし、その間で発生した被測定体の時刻の進み・遅れを検知する。２回の撮影の間、被測定体は電源を切っても切らなくても構わないが、標準時計はその精度を保証するため通電し続けておくほうがよい。
【００１５】
＜第３の実施形態＞
図６は、被測定体の電子機器と、標準時計を内蔵したビデオカメラで現在時刻を撮影した機能ブロック図である。
図４に示した第２の実施形態によるリアルタイム検査装置と異なる点は、高精度の水晶発信器をカウンタで分周した２進値で表示するＬＥＤ発光装置４０９に代わり、各フレーム毎の撮影時刻を確認することができるビデオカメラであり、それ以外は、第２の実施形態と同じであるので、同一部分には同一符号を付して詳細な説明は省略する。リアルタイムクロック１０１を内蔵する電子機器１００が現在時刻１０２を表示する。リアルタイム検査装置１０３がビデオカメラ１１０を用いて現在時刻１０２と標準時刻１１１を同一画面に一緒に撮り込み、各フレーム毎の撮影時刻を確認し、リアルタイム検査装置１０３に内蔵されている検査アプリ１０６が現在時刻１０２と標準時刻１１１の誤差を検出し、表示パネル１０７には、現在時刻１０２と標準時刻１０８、そこから検出した誤差を表示する。標準時計としての精度はカメラの性能に依存されるため、高精度な検査のためには高価な専用のカメラが必要となる。
【００１６】
以上説明した少なくとも一つの実施形態のリアルタイムクロック検査装置によれば、短時間で現在時刻と標準時刻の誤差を確認することができる。
【００１７】
本考案のいくつかの実施形態を説明したが、これらの実施形態は、例として提示したものであり、考案の範囲を限定したものではない。これらの実施形態は、その他の様々な形態で実施されることが可能であり、考案の要旨を逸脱しない範囲で、種々の省略、置き換え、変更を行うことができる。これらの実施形態やその変形は、考案の範囲や要旨に含まれると同時に、特許請求の範囲に記載された考案とその均等の範囲に含まれるものとする。
【符号の説明】
【００１８】
１００・・・電子機器
１０１・・・リアルタイムクロック
１０２・・・現在時刻
１０３・・・リアルタイムクロック検査装置
１０４・・・標準時計
１０５・・・カメラ
１０６・・・検査アプリ
１０７・・・表示パネル
１０８・・・標準時刻
１０９・・・LED発光装置
１１０・・・ビデオカメラ
１１１・・・ビデオカメラ内蔵の標準時刻
【図１】
0003220355.tif 000010
【図２】
0003220355.tif 000011
【図３】
0003220355.tif 000012
【図４】
0003220355.tif 000013
【図５】
0003220355.tif 000014
【図６】
0003220355.tif 000015